(57)【要約】【課題】マンコンベアで使用される移動手摺の走行抵抗を低減させる。【解決手段】ガイド装置５は、長尺の手摺ガイド１０と、クリップガイド１１と、ストッパ１２とを備える。クリップガイド１１は、手摺ガイド１０に取り付けられる。クリップガイド１１は、移動手摺３の内側表面に対向し、移動手摺３の往路側の走行を案内する。ストッパ１２は、手摺ガイド１０に設けられ、端面がクリップガイド１１の端面に対向する。また、ストッパ１２は、クリップガイド１１より低い摩擦特性を有し且つ磨耗し易い低摩擦材を備える。低摩擦材は、上面がクリップガイド１１の上面より上方に突出し、移動手摺３の内側表面に対向する。【選択図】図３
2014043331.tif 000002
【特許請求の範囲】
【請求項１】
長尺の手摺ガイドと、
前記手摺ガイドに取り付けられ、マンコンベアの移動手摺の内側表面に対向し、前記移動手摺の往路側の走行を案内するクリップガイドと、
前記手摺ガイドに設けられ、端面が前記クリップガイドの端面に対向するストッパと、
を備え、
前記ストッパは、
前記クリップガイドより低い摩擦特性を有し且つ磨耗し易い低摩擦材を備え、
前記低摩擦材は、上面が前記クリップガイドの上面より上方に突出し、前記移動手摺の内側表面に対向する
移動手摺のガイド装置。
【請求項２】
前記低摩擦材は、フッ素樹脂からなる請求項１に記載の移動手摺のガイド装置。
【請求項３】
前記ストッパは、全体が前記低摩擦材からなる請求項１又は請求項２に記載の移動手摺のガイド装置。
【請求項４】
前記クリップガイドは、
前記手摺ガイドの長手方向に直交する断面において前記手摺ガイドに四方から対向することにより、前記手摺ガイドに対する前記断面に平行な方向の移動が拘束され、
前記手摺ガイドに対する前記長手方向の移動が、前記ストッパによって拘束される
請求項１から請求項３の何れか一項に記載の移動手摺のガイド装置。
【請求項５】
前記ストッパは、第１の前記クリップガイドと第２の前記クリップガイドとの間に配置され、
前記第１のクリップガイド、前記ストッパの前記低摩擦材、前記第２のクリップガイドは、前記手摺ガイドの長手方向に沿って一直線状に配置された
請求項１から請求項４の何れか一項に記載の移動手摺のガイド装置。
【請求項６】
長尺の手摺ガイドと、
前記手摺ガイドの上面に配置され、上面がマンコンベアの移動手摺の内側表面に対向し、前記移動手摺の帰路側の走行を案内するガイド部材と、
前記手摺ガイドの上面に配置され、前記ガイド部材より低い摩擦特性を有し且つ磨耗し易い低摩擦材と、
前記手摺ガイドに設けられ、一端面が前記ガイド部材の端面に対向し、他端面が前記低摩擦材の端面に対向するストッパと、
を備え、
前記低摩擦材は、上面が前記ガイド部材の前記上面より上方に突出し、前記移動手摺の内側表面に対向する
移動手摺のガイド装置。
【請求項７】
前記低摩擦材は、フッ素樹脂からなる請求項６に記載の移動手摺のガイド装置。
【請求項８】
前記手摺ガイドに設けられ、前記ガイド部材を上方から押え付けて前記ガイド部材を保持する第１保持部材と、
前記手摺ガイドに設けられ、前記低摩擦材を上方から押え付けて前記低摩擦材を保持する第２保持部材と、
を備えた請求項６又は請求項７に記載の移動手摺のガイド装置。
【請求項９】
前記低摩擦材は、第１の前記ガイド部材と第２の前記ガイド部材との間に配置され、
前記第１のガイド部材、前記低摩擦材、前記第２のガイド部材は、前記手摺ガイドの長手方向に沿って一直線状に配置され、
前記ストッパは、前記第１のガイド部材、前記低摩擦材、前記第２のガイド部材の各前記長手方向の移動を拘束するように複数配置された
請求項６から請求項８の何れか一項に記載の移動手摺のガイド装置。
【発明の詳細な説明】
【技術分野】
【０００１】
この発明は、マンコンベアの移動手摺の走行を案内するガイド装置に関するものである。
【背景技術】
【０００２】
エスカレータや動く歩道といったマンコンベアでは、一般に、断面Ｃ字状を呈する無端状の移動手摺が使用される。移動手摺は、踏板の上にいる乗客が安全のために掴むためのものである。移動手摺は、踏板と同期するように駆動される。また、移動手摺は、ガイド装置によってその走行が案内される。
【０００３】
ガイド装置のガイド部材が磨耗したり、移動手摺のキャンバス面が荒れたりすると、移動手摺の走行抵抗が増大する。移動手摺の走行抵抗が増大すると、移動手摺と踏板との間に速度差が生じるといった問題があった。また、ガイド部材が磨耗することによって発生した磨耗粉が移動手摺の意匠面に付着し、乗客の衣服を汚してしまうといった問題もあった。
【０００４】
このような問題を解決するため、特許文献１に、移動手摺の走行抵抗を低減させるための技術が開示されている。特許文献１に記載された装置では、潤滑材を移動手摺のキャンバス面に定期的に押し当てることにより、潤滑材をキャンバス面に塗布している。
【先行技術文献】
【特許文献】
【０００５】
【特許文献１】特開２００７−２８４２２０号公報
【発明の概要】
【発明が解決しようとする課題】
【０００６】
特許文献１に記載された装置は、その構成が複雑であり、装置自体が高価になるといった問題があった。また、磨耗した潤滑材を交換する際に、その作業が困難になるといった問題もあった。
【０００７】
この発明は、上述のような課題を解決するためになされたもので、その目的は、移動手摺の走行抵抗を大幅に低減させることができるとともに、構成が簡単で、保守作業を容易に行うことができる移動手摺のガイド装置を提供することである。
【課題を解決するための手段】
【０００８】
この発明に係る移動手摺のガイド装置は、長尺の手摺ガイドと、手摺ガイドに取り付けられ、マンコンベアの移動手摺の内側表面に対向し、移動手摺の往路側の走行を案内するクリップガイドと、手摺ガイドに設けられ、端面がクリップガイドの端面に対向するストッパと、を備え、ストッパは、クリップガイドより低い摩擦特性を有し且つ磨耗し易い低摩擦材を備え、低摩擦材は、上面がクリップガイドの上面より上方に突出し、移動手摺の内側表面に対向するものである。
【０００９】
また、この発明に係る移動手摺のガイド装置は、長尺の手摺ガイドと、手摺ガイドの上面に配置され、上面がマンコンベアの移動手摺の内側表面に対向し、移動手摺の帰路側の走行を案内するガイド部材と、手摺ガイドの上面に配置され、ガイド部材より低い摩擦特性を有し且つ磨耗し易い低摩擦材と、手摺ガイドに設けられ、一端面がガイド部材の端面に対向し、他端面が低摩擦材の端面に対向するストッパと、を備え、低摩擦材は、上面がガイド部材の上面より上方に突出し、移動手摺の内側表面に対向するものである。
【発明の効果】
【００１０】
この発明に係る移動手摺のガイド装置であれば、移動手摺の走行抵抗を大幅に低減させることができる。また、構成が簡単であり、保守作業を容易に行うことができるようになる。
【図面の簡単な説明】
【００１１】
【図１】マンコンベアの全体を示す側面図である。
【図２】この発明の実施の形態１における移動手摺の往路側ガイド装置を示す断面図である。
【図３】図２に示すガイド装置の組み立てを説明するための斜視図である。
【図４】図２に示すガイド装置の機能を説明するための図である。
【図５】図２に示すガイド装置のストッパの他の例を示す図である。
【図６】移動手摺の帰路側ガイド装置を示す断面図である。
【図７】図６に示すガイド装置の手摺ガイドを示す斜視図である。
【図８】この発明の実施の形態１における移動手摺の帰路側ガイド装置を示す側面図である。
【図９】この発明の実施の形態１における移動手摺の帰路側ガイド装置を示す断面図である。
【図１０】図８に示すガイド装置の組み立てを説明するための斜視図である。
【図１１】図８に示すガイド装置の要部を示す斜視図である。
【図１２】図８に示すガイド装置の機能を説明するための図である。
【発明を実施するための形態】
【００１２】
添付の図面を参照して、本発明を詳細に説明する。各図では、同一又は相当する部分に、同一の符号を付している。重複する説明は、適宜簡略化或いは省略する。
【００１３】
実施の形態１．
図１は、マンコンベアの全体を示す側面図である。以下においては、上下階床間の移動の際に利用されるエスカレータの構成について具体的に説明する。マンコンベアの他の例、例えば、動く歩道の構成についてはその説明を省略する。
【００１４】
図１において、１は上下階床間に掛け渡されたエスカレータのトラスである。トラス１は、エスカレータの自重・積載荷重を支持する。２は乗客が上下階床間を移動する際に乗る踏板である。３は無端状を呈する移動手摺である。移動手摺３は、踏板２に乗降する乗客や踏板２上の乗客が安全のために掴むものである。
【００１５】
踏板２の両側に、欄干４が設けられる。欄干４は、例えば、ガラス板からなる。欄干４の縁部に、ガイド装置５（図１では図示せず）が設けられる。ガイド装置５は、移動手摺３の往路側の走行を案内するための装置である。本実施の形態においては、移動手摺３のうち、エスカレータの乗客が触れることができる部分のことを往路側という。例えば、移動手摺３のうち、図１に示すＡ乃至Ｄの区間に配置された部分が往路側である。
【００１６】
移動手摺３は、エスカレータの上下乗降口で上下に反転される。トラス１内に、移動手摺３の帰路側の走行を案内するためのガイド装置６（図１では図示せず）が設けられる。本実施の形態においては、移動手摺３のうち、トラス１内を移動する部分のことを帰路側という。例えば、移動手摺３のうち、図１に示すＡ乃至Ｄの区間に配置された部分以外の部分が帰路側である。
【００１７】
移動手摺３は、往路側が踏板２と同期するように、手摺駆動装置７によって駆動される。手摺駆動装置７は、例えば、摩擦駆動方式によって移動手摺３を駆動する。摩擦駆動方式を採用する手摺駆動装置７には、駆動ローラ８及び加圧ローラ９が備えられる。移動手摺３は、駆動ローラ８と加圧ローラ９とにより、帰路側の一部分が上下（表裏）から挟み込まれる。手摺駆動装置７は、移動手摺３を挟み込んだ状態で駆動ローラ８を回転させることにより、移動手摺３との摩擦力を利用して移動手摺３を駆動する。なお、駆動ローラ８は、移動手摺３の内側表面（キャンバス面）に接触する。加圧ローラ９は、移動手摺３の外側表面（意匠面）に接触する。
【００１８】
次に、ガイド装置５について具体的に説明する。
図２はこの発明の実施の形態１における移動手摺の往路側ガイド装置を示す断面図である。図２は、図１に示すＥ−Ｅ断面であり、ガイド装置５の構成を示している。図３は図２に示すガイド装置の組み立てを説明するための斜視図である。図４は図２に示すガイド装置の機能を説明するための図である。図４は、移動手摺３の断面を示している。
【００１９】
ガイド装置５は、手摺ガイド１０、クリップガイド１１、ストッパ１２を備える。
手摺ガイド１０は、例えば、長尺の部材からなる。手摺ガイド１０は、板状の部材が所定の形状に折り曲げられることによって形成される。手摺ガイド１０は、中央部に、下方に開口する凹部１０ａが長手に沿って形成される。凹部１０ａに欄干４の端部が挿入されることにより、手摺ガイド１０は、欄干４に固定される。手摺ガイド１０は、欄干４の縁部に沿って配置される。
【００２０】
手摺ガイド１０は、両側の側縁が外向きに折り曲げられる。手摺ガイド１０の側縁部１０ｂは、外側に突出するように平坦に形成される。側縁部１０ｂは、移動手摺３の内側に形成された空間（内部空間）のうち、上下に移動手摺３が配置された端部側に配置される。側縁部１０ｂは、移動手摺３の内部空間の中央部分に配置されない。
【００２１】
クリップガイド１１は、移動手摺３の往路側の走行を案内するガイド部材である。クリップガイド１１は、例えば、長尺の樹脂部材からなる。クリップガイド１１は、手摺ガイド１０の各側縁部１０ｂに取り付けられ、手摺ガイド１０の長手方向に沿って配置される。手摺ガイド１０の側縁部１０ｂに取り付けられることにより、クリップガイド１１は、移動手摺３の内側表面に対向するように配置される。例えば、クリップガイド１１は、上面が、移動手摺３の内側表面のうち図４にＧで示す部分に対向する。
【００２２】
クリップガイド１１は、自身の弾性力によって側縁部１０ｂを挟み込み、手摺ガイド１０に取り付けられる。クリップガイド１１を手摺ガイド１０に取り付けるためにネジ等の締結部材は使用されていない。クリップガイド１１が手摺ガイド１０に適切に取り付けられると、クリップガイド１１は、図２に示す断面（手摺ガイド１０の長手方向に直交する断面）において、手摺ガイド１０に四方から対向する。例えば、クリップガイド１１は、側縁部１０ｂに上下左右から対向する。これにより、クリップガイド１１の移動のうち、手摺ガイド１０に対する上記断面に平行な方向の移動が拘束される。
【００２３】
クリップガイド１１は、例えば、図１に示すＡ区間、Ｂ区間、Ｃ区間、Ｄ区間に設けられる。各区間において、１つ或いは複数のクリップガイド１１が使用される。
【００２４】
ストッパ１２には、複数の機能が備えられる。
ストッパ１２は、第１の機能として、クリップガイド１１の所定方向への移動を拘束する機能を備える。ストッパ１２は、手摺ガイド１０の取付板１０ｃの上面に、ネジ１３を使用して上方から固定される。ストッパ１２は、例えば、２つの直方体が位置をずらして上下に重ねられたような形状を呈する。このため、ストッパ１２の上面には、段差が形成される。ストッパ１２は、上面が一段高く形成された部分（突出部１２ａ）が外側に配置され且つ側縁部１０ｂの上方に配置されるように、手摺ガイド１０に固定される。ストッパ１２は、突出部１２ａの端面がクリップガイド１１の端面に対向するように配置される。
【００２５】
上述したように、クリップガイド１１を手摺ガイド１０に取り付けるために、ネジ等の締結部材は使用されていない。このため、クリップガイド１１は、手摺ガイド１０の長手方向に大きな力を受けると、力を受けた方向（手摺ガイド１０の長手方向）に移動する。クリップガイド１１が手摺ガイド１０の長手方向に移動すると、クリップガイド１１の端面がストッパ１２の端面に接触する。これにより、クリップガイド１１の移動のうち、手摺ガイド１０に対する長手方向の移動が拘束される。
【００２６】
ストッパ１２は、第２の機能として、移動手摺３の走行抵抗を低減させる機能を備える。ストッパ１２は、少なくともその一部に低摩擦材が備えられる。低摩擦材は、例えば、クリップガイド１１を構成する樹脂より低い摩擦特性（摩擦係数）を有し、且つ、磨耗し易い部材からなる。クリップガイド１１を構成する樹脂として、例えば、ナイロンや架橋ポリエチレンが使用される。このため、低摩擦材としては、例えば、フッ素樹脂（ＰＴＦＥ材）が好適である。図２及び図３では、ストッパ１２の全体をフッ素樹脂（低摩擦材）で構成する場合を一例として示している。
【００２７】
ストッパ１２は、例えば、突出部１２ａが側縁部１０ｂの上面に載せられる。ストッパ１２は、突出部１２ａの上面がクリップガイド１１の上面より上方に突出し、移動手摺３の内側表面に対向する。具体的には、低摩擦材が移動手摺３の内側表面に下方から対向し、接触する。ストッパ１２は、低摩擦材を移動手摺３の内側表面に塗布し、移動手摺３の走行抵抗を低減させる。
【００２８】
ストッパ１２は、例えば、図１に示すＡ区間とＢ区間との間、Ｂ区間とＣ区間との間、Ｃ区間とＤ区間との間、帰路側の区間とＡ区間との間、帰路側の区間とＤ区間との間にそれぞれ設けられる。Ａ乃至Ｄに示す各区間の間では、ストッパ１２は、図３に示すように、クリップガイド１１の間に配置される。この時、両側のクリップガイド１１とストッパ１２の突出部１２ａ（低摩擦材）とは、手摺ガイド１０の長手方向に沿って一直線状に配置される。
【００２９】
上記構成を有するガイド装置５では、ストッパ１２の突出部１２ａの上面が移動手摺３の内側表面に接触する。このため、移動手摺３が手摺駆動装置７によって駆動されると、移動手摺３の内側表面に低摩擦材が塗布される。具体的には、図４においてＧで示す部分に低摩擦材が塗布される。移動手摺３の内側表面に付着した低摩擦材は、移動手摺３が走行することによってクリップガイド１１の上面に移る。これにより、移動手摺３の走行抵抗が大幅に低減される。
【００３０】
低摩擦材はＰＴＦＥ材等の磨耗し易い部材からなる。このため、移動手摺３の走行が開始されてから一定の時間が経過すると、低摩擦材が磨耗して、突出部１２ａの上面が、隣接するクリップガイド１１の上面と同じ高さになる。簡単な構成によって適量の低摩擦材を移動手摺３の内側表面に塗布することができる。移動手摺３に必要以上の低摩擦材が塗布されることもない。
【００３１】
低摩擦材が磨耗した場合は、移動手摺３をガイド装置５から外すことにより、ストッパ１２を容易に交換することができる。何らかの理由によって保守期間が延びた場合は、クリップガイド１１の上面も磨耗する。しかし、かかる場合であっても、クリップガイド１１の磨耗に合わせて低摩擦材が移動手摺３の内側表面に供給されるため、移動手摺３の走行抵抗が大幅に増大することはない。クリップガイド１１の磨耗の進行も遅らせることができる。
【００３２】
図２や図３に示す手摺ガイド１０の形状、クリップガイド１１の形状、ストッパ１２の形状は、一例を示したものである。各構成の形状は、上記形状に限定されない。
図５は図２に示すガイド装置のストッパの他の例を示す図である。図５に示すストッパ１２は、支持部材１２ｂと低摩擦材１２ｃとにより構成される。即ち、図５は、ストッパ１２の一部のみを低摩擦材１２ｃで構成した場合を示している。かかる場合、少なくとも突出部１２ａの上面が低摩擦材１２ｃによって構成される。
【００３３】
次に、ガイド装置６について具体的に説明する。
図６は移動手摺の帰路側ガイド装置を示す断面図である。図６は、図１に示すＦ−Ｆ断面であり、ガイド装置６の構成を示している。
【００３４】
ガイド装置６は、図６に示すように手摺ガイド１４を備える。図７は、図６に示すガイド装置の手摺ガイドを示す斜視図である。
手摺ガイド１４は、例えば、長尺の部材からなる。手摺ガイド１４は、板状の部材が所定の形状に折り曲げられることによって形成される。手摺ガイド１４の内側に、断面が四角形状の空間（内部空間１４ａ）が形成される。また、手摺ガイド１４は、中央部の上面に、内部空間１４ａに通じる開口１４ｂが形成される。内部空間１４ａ及び開口１４ｂは、手摺ガイド１４の長手方向に沿って設けられる。
【００３５】
手摺ガイド１４は、内部空間１４ａの両側に、側縁部１４ｃが備えられる。手摺ガイド１４の側縁部１４ｃは、外側に突出するように平坦に形成される。帰路側の移動手摺３は、意匠面が下方を向くように裏返しに配置される。側縁部１４ｃは、移動手摺３の内部空間のうち、上下に移動手摺３が配置された端部側に配置される。
【００３６】
吊りボルト１５及び板ナット１６は、手摺ガイド１４を吊り下げた状態で主枠１に支持させるための部材である。板ナット１６は、手摺ガイド１４の内部空間１４ａに配置される。吊りボルト１５は、主枠１に固定された部材（図示せず）に設けられる。吊りボルト１５は、ネジ部が開口１４ｂを上方から通過して、板ナット１６のネジ孔に取り付けられる。
【００３７】
図８はこの発明の実施の形態１における移動手摺の帰路側ガイド装置を示す側面図である。図８は、ガイド装置６の構成を示している。図９はこの発明の実施の形態１における移動手摺の帰路側ガイド装置を示す断面図である。図９は、図８に示すＨ−Ｈ断面である。図１０は図８に示すガイド装置の組み立てを説明するための斜視図である。図１１は図８に示すガイド装置の要部を示す斜視図である。図１２は図８に示すガイド装置の機能を説明するための図である。図１２は、移動手摺３の断面を示している。
【００３８】
ガイド装置６は、上記手摺ガイド１４の他に、ガイド部材１７、保持部材１８、板ナット１９、低摩擦材２０、保持部材２１、ストッパ２２を備える。
【００３９】
ガイド部材１７は、移動手摺３の帰路側の走行を案内するための部材である。ガイド部材１７は、例えば、断面がＬ字状を呈する長尺の樹脂部材からなる。ガイド部材１７は、手摺ガイド１４の各側縁部１４ｃの上面に、手摺ガイド１４の長手方向に沿って配置される。ガイド部材１７は、側縁部１４ｃの上面に平行に配置された部分の上面が、移動手摺３の内側表面に対向するように配置される。例えば、ガイド部材１７は、側縁部１４ｃに平行に配置された上記一部の上面が、移動手摺３の内側表面のうち図１２にＪで示す部分に対向する。
【００４０】
保持部材１８は、ガイド部材１７を手摺ガイド１４に取り付けるための部材である。保持部材１８は、例えば、コ字状を呈する固定金具からなり、下端部が鋸刃状に形成される。
【００４１】
保持部材１８は、板ナット１９及びボルト２３ａを用いて手摺ガイド１４に設けられる。板ナット１９は、手摺ガイド１４の内部空間１４ａに配置される。ボルト２３ａは、保持部材１８に形成された貫通孔（図示せず）と開口１４ｂとを上方から通過した後、板ナット１９のネジ孔に締め付けられる。保持部材１８は、板ナット１９及びボルト２３ａを用いて手摺ガイド１４に適切に取り付けられると、下端部がガイド部材１７に上方から押し付けられる。ガイド部材１７は、保持部材１８の鋸刃状の下端部と手摺ガイド１４の側縁部１４ｃとに挟まれることにより、適切な位置に保持される。
【００４２】
本実施の形態では、一方の側縁部１４ｃに載せられたガイド部材１７と他方の側縁部１４ｃに載せられたガイド部材１７とを、１つの保持部材１８によって同時に保持する場合を一例として示している。
【００４３】
低摩擦材２０は、移動手摺３の走行抵抗を低減させるためのものである。低摩擦材２０は、例えば、ガイド部材１７を構成する樹脂より低い摩擦特性（摩擦係数）を有し、且つ、磨耗し易い部材からなる。ガイド部材１７を構成する樹脂として、例えば、ナイロンや架橋ポリエチレンが使用される。このため、低摩擦材２０としては、例えば、フッ素樹脂（ＰＴＦＥ材）が好適である。各図では、低摩擦材２０の全体をフッ素樹脂で構成する場合を一例として示している。
【００４４】
低摩擦材２０は、例えば、断面がＬ字状を呈する長尺の部材からなる。低摩擦材２０は、手摺ガイド１４の各側縁部１４ｃの上面に、手摺ガイド１４の長手方向に沿って配置される。低摩擦材２０は、側縁部１４ｃの上面に平行に配置された部分の上面が、移動手摺３の内側表面に対向するように配置される。例えば、低摩擦材２０は、側縁部１４ｃに平行に配置された上記一部の上面が、移動手摺３の内側表面のうち図１２にＪで示す部分に対向する。低摩擦材２０は、上記一部の上面が、ガイド部材１７の移動手摺３に対向する上記一部の上面より上方に突出するように配置される（図９参照）。低摩擦材２０は、上記一部を移動手摺３の内側表面に接触させ、移動手摺３の走行抵抗を低減させる。
【００４５】
保持部材２１は、低摩擦材２０を手摺ガイド１４に取り付けるための部材である。保持部材２１は、例えば、コ字状を呈する固定金具からなり、下端部が鋸刃状に形成される。
【００４６】
保持部材２１は、板ナット１９及びボルト２３ｂを用いて手摺ガイド１４に設けられる。ボルト２３ｂは、保持部材２１に形成された貫通孔２１ａと開口１４ｂとを上方から通過した後、板ナット１９のネジ孔１９ａに締め付けられる。保持部材２１は、板ナット１９及びボルト２３ｂを用いて手摺ガイド１４に適切に取り付けられると、下端部が低摩擦材２０に上方から押し付けられる。低摩擦材２０は、保持部材２１の鋸刃状の下端部と手摺ガイド１４の側縁部１４ｃとに挟まれることにより、適切な位置に保持される。
【００４７】
本実施の形態では、一方の側縁部１４ｃに載せられた低摩擦材２０と他方の側縁部１４ｃに載せられた低摩擦材２０とを、１つの保持部材２１によって同時に保持する場合を一例として示している。
【００４８】
ストッパ２２は、ガイド部材１７の所定方向への移動と低摩擦材２０の所定方向への移動とを拘束する機能を有する。ストッパ２２は、例えば、コ字状を呈する固定金具からなる。
【００４９】
ストッパ２２は、板ナット１９及びボルト２３ｃを用いて手摺ガイド１４に設けられる。ボルト２３ｃは、ストッパ２２に形成された貫通孔２２ａと開口１４ｂとを上方から通過した後、板ナット１９のネジ孔１９ｂに締め付けられる。ストッパ２２は、板ナット１９及びボルト２３ｃを用いて手摺ガイド１４に適切に取り付けられると、保持部材１８及び２１と同様に、手摺ガイド１４の内部空間１４ａを形成する部分を上方から覆うように配置される。
【００５０】
ガイド部材１７と低摩擦材２０との間に配置されたストッパ２２は、一方の端面が、隣接するガイド部材１７の端面に対向する。そのストッパ２２の他方の端面は、隣接する低摩擦材２０の端面に対向する。また、ガイド部材１７に隣接するストッパ２２は、少なくとも一方の端面が、隣接するガイド部材１７の端面に対向する。
【００５１】
ガイド部材１７及び低摩擦材２０は、手摺ガイド１４に対してネジ等の締結部材によって直接固定されている訳ではない。このため、ガイド部材１７や低摩擦材２０は、磨耗して薄くなると、手摺ガイド１４の長手方向に大きな力を受けた際に、力を受けた方向（手摺ガイド１４の長手方向）に移動する可能性がある。なお、ガイド部材１７及び低摩擦材２０は、断面がＬ字状に形成されており、一定の剛性を備える。このため、ガイド部材１７自体或いは低摩擦材２０自体が変形する恐れはない。
【００５２】
例えば、低摩擦材２０が手摺ガイド１４の長手方向に移動すると、低摩擦材２０の端面がストッパ２２の端面に接触する。これにより、低摩擦材２０の移動のうち、手摺ガイド１４に対する長手方向の移動が拘束される。なお、低摩擦材２０の移動のうち、図９に示す断面（手摺ガイド１４の長手方向に直交する断面）に平行な方向の移動は、手摺ガイド１４及び保持部材２１によって拘束される。
ガイド部材１７についても同様である。
【００５３】
ガイド装置６では、例えば、図８に示すように、低摩擦材２０がガイド部材１７の間に配置される。また、一方のガイド部材１７と低摩擦材２０との間にストッパ２２が配置される。他方のガイド部材１７と低摩擦材２０との間に他のストッパ２２が配置される。そして、上記一方及び他方のガイド部材１７と低摩擦材２０とは、手摺ガイド１４の長手方向に沿って一直線状に配置される。
【００５４】
上記構成を有するガイド装置６では、低摩擦材２０の上面が移動手摺３の内側表面に接触する。このため、移動手摺３が手摺駆動装置７によって駆動されると、移動手摺３の内側表面に低摩擦材２０が塗布される。具体的には、図１２においてＪで示す部分に低摩擦材２０が塗布される。移動手摺３の内側表面に付着した低摩擦材２０は、移動手摺３が走行することによってガイド部材１７の上面に移る。これにより、移動手摺３の走行抵抗が大幅に低減される。
【００５５】
低摩擦材２０はＰＴＦＥ材等の磨耗し易い部材からなる。このため、移動手摺３の走行が開始されてから一定の時間が経過すると、低摩擦材２０が磨耗して、低摩擦材２０の上面が、隣接するガイド部材１７の上面と同じ高さになる。簡単な構成によって適量の低摩擦材２０を移動手摺３の内側表面に塗布することができる。移動手摺３に必要以上の低摩擦材２０が塗布されることもない。
【００５６】
低摩擦材２０が磨耗した場合は、保持部材２１を手摺ガイド１４から取り外すことにより、低摩擦材２０を容易に交換することができる。何らかの理由によって保守期間が延びた場合は、ガイド部材１７の上面も磨耗する。しかし、かかる場合であっても、ガイド部材１７の磨耗に合わせて低摩擦材２０が移動手摺３の内側表面に供給されるため、移動手摺３の走行抵抗が大幅に増大することはない。ガイド部材１７の磨耗の進行も遅らせることができる。
【００５７】
本実施の形態において、ガイド部材１７、低摩擦材２０、保持部材１８及び２１、ストッパ２２の各形状は、一例を示したものである。各構成の形状は、上記形状に限定されない。
【００５８】
ガイド装置５及び６の双方をマンコンベアに備えることにより、移動手摺３の走行抵抗を大幅に低減させることができる。しかし、ガイド装置５及び６の一方のみを備えた場合であっても、一定の効果が得られることは言うまでもない。
【符号の説明】
【００５９】
１  トラス
２  踏板
３  移動手摺
４  欄干
５、６  ガイド装置
７  手摺駆動装置
８  駆動ローラ
９  加圧ローラ
１０、１４  手摺ガイド
１０ａ  凹部
１０ｂ、１４ｃ  側縁部
１０ｃ  取付板
１１  クリップガイド
１２、２２  ストッパ
１２ａ  突出部
１２ｂ  支持部材
１２ｃ、２０  低摩擦材
１３  ネジ
１４ａ  内部空間
１４ｂ  開口
１５  吊りボルト
１６、１９  板ナット
１７  ガイド部材
１８、２１  保持部材
１９ａ、１９ｂ  ネジ孔
２１ａ、２２ａ  貫通孔
２３ａ、２３ｂ、２３ｃ  ボルト
【図１】
2014043331.tif 000003
【図２】
2014043331.tif 000004
【図３】
2014043331.tif 000005
【図４】
2014043331.tif 000006
【図５】
2014043331.tif 000007
【図６】
2014043331.tif 000008
【図７】
2014043331.tif 000009
【図８】
2014043331.tif 000010
【図９】
2014043331.tif 000011
【図１０】
2014043331.tif 000012
【図１１】
2014043331.tif 000013
【図１２】
2014043331.tif 000014